(57)【特許請求の範囲】
【請求項１】
物品を収容する収容空間が形成されたカバー部材と、カバー部材の背面開口部を閉じる背面部材とを備え、カバー部材の縁辺に設けられた舌片と背面部材の縁辺に設けられた舌片とを掛合させることによりカバー部材と背面部材とが閉じるブリスター容器であって、物品の収容空間とカバー部材の縁部との間に、カバー部材の外形が物品の外形から離れることにより形成される余剰空間がブリスター容器の長手方向に伸びており、該長手方向と交わる方向に形成されている、ブリスター容器の少なくとも一縁辺の両端部に、カバー部材の舌片と背面部材の舌片による掛合部を有し、各掛合部において、カバー部材の舌片が該縁辺の形成方向の外方乃至カバー部材の中央部側へ移動するのを妨げるように、カバー部材の舌片が、該舌片が形成されている縁辺の形成方向の外方に突出し、背面部材の舌片がそれと交わる方向に突出しているブリスター容器。
【請求項２】
物品の厚さが最も厚い部分のブリスター容器の横断面において、カバー部材の外形が物品の外形から離れる点と背面部材との距離が、カバー部材と背面部材との最大距離の１／３以上である請求項１記載のブリスター容器。
【請求項３】
ブリスター容器の一縁辺にカバー部材と背面部材とが連設したヒンジ部を有し、ヒンジ部と反対側のブリスター容器の縁辺の両端部に、カバー部材の舌片と背面部材の舌片との掛合部を有する請求項１又は２記載のブリスター容器。
【請求項４】
カバー部材の舌片と背面部材の舌片とを互いに掛合させることなく重ね合わせた場合のそれらの対向面にそれぞれ突起が設けられている請求項１〜３のいずれかに記載のブリスター容器。
【発明の詳細な説明】
【技術分野】
【０００１】
本発明は、ブリスター容器に関する。
【背景技術】
【０００２】
ブリスター容器は、概略、透明な合成樹脂シートを、収容する物品の外形に沿う形状に成形したカバー部材と、カバー部材の背面開口部を閉じる背面部材とからなる。ブリスター容器には、背面部材をカバー部材とは別体の台紙として構成したものと、カバー部材と背面部材とを一体の樹脂シートで形成し、ヒンジ部を介してカバー部材と背面部材を連設したものがあり、また、カバー部材と背面部材とを別体として構成したものには、カバー部材の折り返し縁に背面部材をスライドさせてこれらを組み立てるものと、カバー部材と背面部材の凹凸を嵌合させて組み立てるもの等があるが、いずれにおいても、カバー部材が背面部材で閉じられた状態を維持するために、シュリンク包装、ステープル止め、接着剤シール、舌片による掛合等の接合方法が利用されている（特許文献１〜３）。
【０００３】
このうち、舌片による掛合は、簡便にカバー部材と背面部材の開閉を繰り返すことができ、ステープルの止め針や、剥がしたシュリンクフィルム等のように開封に伴う廃棄物が生じない点で好ましい。
【０００４】
【特許文献１】特許3983791号公報
【特許文献２】特開平9-295656号公報
【特許文献３】特開2004-123111号公報
【発明の開示】
【発明が解決しようとする課題】
【０００５】
舌片による掛合部は、一般に、ブリスター容器の一縁辺の中央部に形成される（特許文献２，３）。一方、ブリスター容器には、デザイン上の要請から、又は本来収容する物品に加えて他の物品も付加的に収容するという要請から、カバー部材の外形を物品の外形に沿わせる領域を、カバー部材と背面部材とで挟まれた物品のカバー部材側に突出した部分の頂部のみとし、それ以外の部分ではカバー部材を物品の外形から離し、カバー部材と背面部材との間に、物品を収容するための収容空間とは別に余剰空間を形成する場合がある。その場合、物品を収容したブリスター容器を把持したときに、余剰空間の部分が凹んでカバー部材が撓み、舌片の掛合をずらすようにカバー部材に力がかかり、掛合が外れることがある。
【０００６】
これに対し、本発明は、ブリスター容器のカバー部材に余剰空間をもたせ、カバー部材と背面部材を舌片の掛合で閉じる場合に、ブリスター容器の把持によりカバー部材が凹み撓んでも、舌片の掛合が維持されるようにすることを目的とする。
【課題を解決するための手段】
【０００７】
上述の目的を達成するため、本発明は、物品を収容する収容空間が形成されたカバー部材と、カバー部材の背面開口部を閉じる背面部材とを備え、カバー部材の縁辺に設けられた舌片と背面部材の縁辺に設けられた舌片とを掛合させることによりカバー部材と背面部材とが閉じるブリスター容器であって、物品の収容空間とカバー部材の縁部との間に、カバー部材の外形が物品の外形から離れることにより形成される余剰空間を有し、ブリスター容器の少なくとも一縁辺の両端部にカバー部材の舌片と背面部材の舌片による掛合部を有し、各掛合部において、カバー部材の舌片が該縁辺の形成方向の外方乃至カバー部材の中央部側へ移動するのを妨げるように背面部材の舌片が形成されているブリスター容器を提供する。
【発明の効果】
【０００８】
本発明のブリスター容器によれば、カバー部材と背面部材の舌片による掛合部がブリスター容器の少なくとも一縁辺の両端部に設けられているので、縁辺の中央部のみに設ける場合に比してカバー部材と背面部材のずれを抑制することができ、かつ、カバー部材の舌片が該縁辺の形成方向の外方乃至カバー部材の中央部側へ移動するのを妨げるように、背面部材の舌片が形成されているので、各舌片による接合部において、カバー部材が縁辺の形成方向にずれることが防止される。
【０００９】
したがって、カバー部材の余剰空間上を把持し、その部分が凹むことによりカバー部材が撓んでも、舌片の掛合は安定して維持される。
【発明を実施するための最良の形態】
【００１０】
以下、図面を参照しつつ本発明を具体的に説明する。なお、各図中、同一符号は、同一又は同等の構成要素を表している。
【００１１】
図１は、本発明の一実施例のブリスター容器１に物品３０を収容した状態の正面図(a)と底面図(b)であり、図２は、そのブリスター容器１のカバー部材１０と背面部材２０とを開いた状態の平面図である。
【００１２】
このブリスター容器１は、カバー部材１０と背面部材２０とを透明なシート状の合成樹脂から一体成形し、カバー部材１０と背面部材２０とが、ブリスター容器１の短手方向に伸びたヒンジ部２を介して連設するようにしたものである。
【００１３】
図１（ｂ）に示すように、このブリスター容器１で収容する物品３０は背面部材２０上に載置されてカバー部材１０側に突出しており、カバー部材１０は、その物品３０の頂部の外形に沿った凸部１１を有し、これにより物品の収容空間１２を確保しているが、カバー部材１０は、物品３０の全厚Ｌ0について物品３０の外形に沿うものではなく、所定の厚さの点Ｐで物品３０の外形から離れ、物品３０の収容空間１２とカバー部材の縁部１３との間に、ブリスター容器１の長手方向に伸びた余剰空間１４を形成している。より具体的には、物品３０の厚さＬ0が最も厚い部分のブリスター容器１の横断面において、カバー部材１０の外形が物品３０の外形から離れる点Ｐと背面部材２０との距離Ｌ1が、カバー部材１０と背面部材２０との最大距離Ｌ2の好ましくは１／３以上、より好ましくは１／２以上１未満となるようにし、その点Ｐとカバー部材の縁部１３との間でカバー部材１０がアーチ部１０ａを形成し、アーチ部１０ａと背面部材２０との間に、物品３０の収容空間１２とは別に余剰空間１４（図１（ｂ）において斜線で塗り潰した部分）が形成されるようにしている。
【００１４】
この余剰空間１４は、ブリスター容器１のデザイン上の要請から、あるいは物品３０の景品や物品３０の関連商品のサンプル等を付加的に収容する空間を確保するなどの要請で設けられる。
【００１５】
なお、本発明において、余剰空間１４の形成位置は特に限定されないが、従来のブリスター容器において舌片の掛合部が外れる問題は、ブリスター容器の長手方向に余剰空間が形成されている場合に生じやすいことから、この場合に本発明の効果が顕著となる。
【００１６】
一方、背面部材２０は、カバー部材１０の収容空間１２に物品３０を収容した状態でカバー部材１０の背面開口部を閉じるように、板状に形成されている。
【００１７】
また、カバー部材１０の収容空間１２に物品３０を収容し、ヒンジ２でカバー部材１０と背面部材２０とを折り曲げ、カバー部材１０の背面開口部に背面部材２０を嵌め入れることにより、カバー部材１０と背面部材２０とを閉じた場合に、その閉じた状態が維持されるようにするため、ヒンジ部２と反対側のブリスター容器１の縁辺３の両端部には、カバー部材１０の舌片１５と背面部材２０の舌片２５とを互いに掛け合わせる掛合部４ａ、４ｂが形成されている。
【００１８】
各掛合部４ａ、４ｂでは、カバー部材１０の舌片１５がその縁辺３の形成方向の外方に突出している。また、背面部材２０の舌片２５が、カバー部材１０の舌片１５との掛合状態において、カバー部材の舌片１５が縁辺３の形成方向の外方へずれるのを妨げるように、カバー部材１０の舌片１５の突出方向と交わる方向に突出している。そこで、カバー部材１０の舌片１５と背面部材２０の舌片２５の非掛合状態では図３Ａのようにこれらの舌片１５、２５が重なり合うが、掛合状態では図３Ｂのように、カバー部材１０を平面視した場合に、カバー部材１０の舌片１５が背面部材２０の舌片２５の下に隠れ、一方、背面部材２０を平面視した場合（カバー部材１０を背面視した場合）には、背面部材２０の舌片２５がカバー部材１０の舌片１５の下に隠れた状態となる。
【００１９】
また、図３Ａに示すように、各接合部４ａ、４ｂでカバー部材１０の舌片１５と背面部材２０の舌片２５とを互いに掛合させることなく重ねた場合のそれらの対向面には、それぞれ突起１６、２６が形成されている。
【００２０】
なお、このブリスター容器１の製造方法としては、ポリ塩化ビニル、ポリエチレン、ポリプロピレン、ポリエチレンテレフタレート、ポリスチレン、ポリカーボネート等の各種樹脂シートを用い、真空成形又は圧空成形することにより得ることができる。また、カバー部材１０と背面部材２０のシート厚は、収容する物品の大きさ、形状等によって適宜定めるが、通常、０．１〜１ｍｍ、好ましくは０．３〜０．８ｍｍとする。
【００２１】
ブリスター容器１の使用方法としては、カバー部材１０の収容空間１２に物品３０を収容し、ヒンジ部２でカバー部材１０と背面部材２０とを折り曲げ、カバー部材１０の背面開口部を背面部材２０で閉じ、掛合部４ａ、４ｂでカバー部材１０の舌片１５と背面部材２０の舌片２５とを掛合させる。こうしてブリスター容器１で包装した物品３０は、流通にのせられ、店頭に置かれることになるが、ここで、カバー部材１０が把持され、その余剰空間１４が図４に示す矢印Ａのように押圧され、それによりカバー部材１０の両舌片１５、１５がカバー部材１０の縁辺３の形成方向の外方（矢印Ｂ又はＢ’方向のいずれか）にずれるように変形しても、各掛合部４ａ、４ｂ、では舌片１５、２５同士の掛合が保持されたままとなる。したがって、カバー部材２０と背面部材２０とが無用に開いてしまうことを防止できる。
【００２２】
これに対し、図５の比較例のブリスター容器１Ｘのように、背面部材２０の舌片２５をその縁辺３の形成方向の外方に突出させ、カバー部材１０の舌片１５を、背面部材２０の舌片２５の突出方向と交わる方向に突出させると、カバー部材１０の余剰空間１４が矢印Ａのように押圧され、カバー部材１０がつまみ上げられるように力が働いた場合、掛合部４ａ、４ｂにおいてカバー部材１０の両舌片１５が浮き上がり易くなり、カバー部材１０が矢印Ｂ又はＢ’の方向にずれて舌片１５、２５同士の掛合が外れ、ブリスター容器１が無用に開くことがある。
【００２３】
特に、図６に示すように、ブリスター容器１Ｘのカバー部材１０の余剰空間１４が縁辺３に近い部分で矢印Ａ’のように押圧されると、ブリスターの縁辺３の中心付近３Ｘ部分で外側に折れ曲がるように変形し、両舌片１５、１５が、３Ｘを中心として矢印のようにカバー部材３０の中央部側へ（即ち、中心軸Ｌxに近づくように移動するので掛合部４ａ、４ｂの掛合が外れ、ブリスター容器１が無用に開き易くなる。
【００２４】
また、図１のブリスター容器１によれば、前述のように、カバー部材１０の舌片１５と背面部材２０の舌片２５に突起１６、２６が形成されているから、図３Ｂに示すように、掛合部４ａ、４ｂにおいてカバー部材１０の舌片１５と背面部材２０の舌片２５とが掛合している場合には、これらの突起１６、２６が掛合部４ａ、４ｂの表面に露出し、この掛合状態を視覚的に確認できるだけでなく、感触によっても容易に確認することができる。反対に、図３Ａに示すように、これらの舌片１５、２５が掛合しておらず、単に重なっているだけの場合には、突起１６、２６が掛合部４ａ、４ｂの表面に露出せず、この部分の感触は滑らかとなるから、視覚によっても感触によっても掛合が外れていることがわかる。したがって、ブリスター容器１による物品３０の包装作業時、あるいは流通、店頭の各段階で、掛合の成否を容易に確認することが可能となる。
【００２５】
本発明は、種々の態様をとることができる。例えば、カバー部材１０と背面部材２０とがヒンジ部２で連設している態様に限らず、これらが別体として構成されていてもよい。その場合、カバー部材の舌片と背面部材の舌片による掛合部は、ブリスター容器の一縁辺の両端部に限らず、対向する２つの縁辺の両端部に設けることも可能である。
【産業上の利用可能性】
【００２６】
本発明のブリスター容器は、化粧品、清掃具、日用雑貨品、事務用品、機械部品等の種々の物品の包装容器として有用である。特に、本発明のブリスター容器は本来の物品の収容空間１２に加えて余剰空間１４を有することから、包装のデザイン性が重視され、また、関連商品を付加して包装することの多い化粧品等の包装容器として有用となる。
【図面の簡単な説明】
【００２７】
【図１】ブリスター容器の正面図（ａ）及び底面図（ｂ）である。
【図２】ブリスター容器を開いた状態の平面図である。
【図３Ａ】掛合部で舌片を掛合させていない状態のブリスター容器の斜視図及び掛合部の断面図である。
【図３Ｂ】掛合部で舌片を掛合させた状態のブリスター容器の斜視図及び掛合部の断面図である。
【図４】実施例のブリスター容器の作用の説明図である。
【図５】比較例のブリスター容器の作用の説明図である。
【図６】比較例のブリスター容器の作用の説明図である。
【符号の説明】
【００２８】
１    ブリスター容器
２    ヒンジ部
３    縁辺
４ａ、４ｂ    掛合部
１０    カバー部材
１１    凸部
１２    収容空間
１３    縁部
１４    余剰空間
１５    カバー部材の舌片
１６    突起
２０    背面部材
２５    背面部材の舌片
２６    突起
３０    物品
【図１】
0005170418.tif 000002
【図２】
0005170418.tif 000003
【図３Ａ】
0005170418.tif 000004
【図３Ｂ】
0005170418.tif 000005
【図４】
0005170418.tif 000006
【図５】
0005170418.tif 000007
【図６】
0005170418.tif 000008